(57)【要約】【課題】  営業終了時間帯においては、営業時間帯と同様に貯蔵室内の温度を一定に保ちつつも、冷気の循環に伴う消費電力のコストを抑えたオープンショーケースを提供すること。【解決手段】  営業終了時に可動天板１６を前方に引き出すだけで冷却効果の改善が図られ、しかもナイトカバー２０を収納部２４から引き上げ、可動天板１６の係止片２３にナイトカバー２０の係止具２０ａを係止させると、貯蔵室８内の商品とナイトカバー２０との接触が未然に防止された状態で、貯蔵室８の開口の前面を覆うことができ、貯蔵室８外部への冷気の漏出が防止されるので、商品の冷却効果が一層高められ冷気の循環に伴う消費電力のコストを抑えることができる。【選択図】  図４
2005282890.tif 000002
【特許請求の範囲】
【請求項１】
前面に商品取出用の開口を有する貯蔵室と、該貯蔵室の上部を形成する天板を備え、開口上部に設けられた吹出口から、開口下部に設けられた吸込口に向けて冷気を吹き出すオープンショーケースにおいて、前記天板は固定天板と、該固定天板に対し前方に移動可能な可動天板と、で構成したことを特徴とするオープンショーケース。
【請求項２】
前記可動天板の前端部を下方に向けて前方に傾斜させた請求項１に記載のオープンショーケース。
【請求項３】
前記吸込口の前側に、一端に係止具を有するナイトカバーを収納する収納部を設け、前記可動天板の前端部に前記係止具を係止する係止片を設けた請求項１または２に記載のオープンショーケース。
【請求項４】
前記可動天板の前端部に、一端に係止具を有するナイトカバーを収納する収納部を設け、前記吸込口の前側に前記係止具を係止する係止片を設けた請求項１または２に記載のオープンショーケース。
【請求項５】
前記係止具を有するナイトカバーの端部に張架材を設ける請求項１乃至４のいずれかに記載のオープンショーケース。
【発明の詳細な説明】
【技術分野】
【０００１】
本発明は、前面に商品取出用の開口を有する貯蔵室と、該貯蔵室の上部を形成する天板を備え、開口上部に設けられた吹出口から、開口下部に設けられた吸込口に向けて冷気を吹き出すオープンショーケースに関する。
【背景技術】
【０００２】
従来のオープンショーケースでは、商品の取り出し用の開口を有する貯蔵室を備えられ、外箱と内箱との間に形成される通風路内に送風機および蒸発器が配設されている。この送風機によって、開口の下部に設けられた吸込口から空気が取り込まれ、蒸発器によって冷却されている。
【０００３】
そして、開口の上部に設けられた吹出口から冷気として前記吸込口方向に吹き出されることで、開口の前面にエアーカーテン（冷気層）が形成され、外部からの熱を遮断して貯蔵室内の温度を一定に保ち商品を保冷している。（例えば、特許文献１参照）。
【０００４】
【特許文献１】特開２００３−２７５０６９号公報（段落００１０〜００１３、第１図）
【発明の開示】
【発明が解決しようとする課題】
【０００５】
しかしながら、特許文献１にあっては、貯蔵室の前面は常に開口状態であるので、営業終了時間帯であっても、営業時間帯と同様に冷気を循環させて貯蔵室内の温度を一定に保つ必要があり、冷気の循環に伴う消費電力のコストが多くかかっていた。
【０００６】
本発明は、このような問題点に着目してなされたもので、営業終了時間帯においては、営業時間帯と同様に貯蔵室内の温度を一定に保ちつつも、冷気の循環に伴う消費電力のコストを抑えたオープンショーケースを提供することを目的とする。
【課題を解決するための手段】
【０００７】
上記課題を解決するために、本発明の請求項１に記載のオープンショーケースは、前面に商品取出用の開口を有する貯蔵室と、該貯蔵室の上部を形成する天板を備え、開口上部に設けられた吹出口から、開口下部に設けられた吸込口に向けて冷気を吹き出すオープンショーケースにおいて、前記天板は固定天板と、該固定天板に対し前方に移動可能な可動天板と、で構成したことを特徴としている。
この特徴によれば、営業終了時に可動天板を前方に移動させるだけで、開口の上部側における外部からの熱を遮断することができ、貯蔵室内の冷却効果を高めることができるので、営業終了時間帯に冷気の循環に伴う消費電力のコストを抑えることができる。また、営業開始時に可動天板を後方に移動させるだけで元の位置に収納でき、貯蔵室内の商品の取り出し及び収納時に何ら支障をきたすことはない。
【０００８】
本発明の請求項２に記載のオープンショーケースは、請求項１に記載のオープンショーケースであって、前記可動天板の前端部を下方に向けて前方に傾斜させたことを特徴としている。
この特徴によれば、可動天板の前端部を下方に向けて前方に傾斜させることにより、吹出口からの冷気をより集中的に吸込口に向けて流下させ、外部の熱が貯蔵室内に入り込まないように遮断することができる。
【０００９】
本発明の請求項３に記載のオープンショーケースは、請求項１または２に記載のオープンショーケースであって、前記吸込口の前側に、一端に係止具を有するナイトカバーを収納する収納部を設け、前記可動天板の前端部に前記係止具を係止する係止片を設けたことを特徴としている。
この特徴によれば、営業終了時に可動天板を前方に引き出し、ナイトカバーを収納部から引き上げ、可動天板の係止片にナイトカバーの係止具を係止させるだけで、貯蔵室内の商品とナイトカバーとの接触が未然に防止された状態で、貯蔵室の開口の前面を覆うことができ、貯蔵室外部への冷気の漏出が防止されるので、商品の冷却効果が一層高められ冷気の循環に伴う消費電力のコストを抑えることができる。
【００１０】
本発明の請求項４に記載のオープンショーケースは、請求項１または２に記載のオープンショーケースであって、前記可動天板の前端部に、一端に係止具を有するナイトカバーを収納する収納部を設け、前記吸込口の前側に前記係止具を係止する係止片を設けたことを特徴としている。
この特徴によれば、営業終了時に可動天板を前方に引き出し、ナイトカバーを収納部から引き下げ、吸込口の前側に設けられた係止片にナイトカバーの係止具を係止させるだけで、貯蔵室内の商品とナイトカバーとの接触が未然に防止された状態で開口の前面を覆うことができ、貯蔵室外部への冷気の漏出が防止されるので、商品の冷却効果が一層高められ冷気の循環に伴う消費電力のコストを抑えることができる。
【００１１】
本発明の請求項５に記載のオープンショーケースは、請求項１乃至４のいずれかに記載のオープンショーケースであって、前記係止具を有するナイトカバーの端部に張架材を設けることを特徴としている。
この特徴によれば、ナイトカバーの端部に張架材を設けることで、係止具を係止片に係止させた際に、張架材によってナイトカバーの弛みを防止でき、開口の前面を確実に覆うことができる。
【発明を実施するための最良の形態】
【００１２】
本発明の実施例を以下に説明する。
【実施例１】
【００１３】
図1は、本発明の実施例１におけるオープンショーケース（以下ショーケース１）の全体像を示す側面図であり、図２は、図１のＡ−Ａ線の断面図であり、図３は、図２のＢ−Ｂ線の断面図であり、図４は、ナイトカバーの張架構造を示す要部拡大断面図あり、図５は、ショーケース１にナイトカバーを張架した状態を示す斜視図である。このショーケース１は、デパートやスーパーマーケット等の食料品売場に設置されており、主に保冷を要する商品（本実施例では図示略）が載置されている。
【００１４】
本発明の実施例を図１に基づいて説明すると、ショーケース１は、下部に床面に金属板で構成された基台２が設けられ、両側面に一部透明ガラス材が使用された側面板１５が設けられ、上部に天板が設けられており、図には後述において詳述する可動天板１６が示されている。これら基台２、側面板１５、天板の内部には断熱性の内箱４が設けられ、前面が開口する貯蔵室８が形成されている。
【００１５】
内箱４の両端部にはブラケット１３が上下方向に複数（本実施例では３対）取り付けられ、最下段にトレー１４が取り付けられている。これらブラケット１３毎に棚板１２が載置され位置固定されている。この多段に設けられた各棚板１２及びトレー１４には商品２７が収納されている。以下、本実施例ではショーケース１の正面側を前方とし、ショーケース１の背面側を後方とし、左の側面板１５側を左方、右の側面板１５側を右方として説明する。
【００１６】
次いで、ショーケース１の内部構造を説明する。図２に示されるように、基台２上に前上面が開放された断熱性の外箱３が載設され、その内方に離間して前述の内箱４が設けられており、外箱３と内箱４の間には冷気の循環路である通風路５が形成されている。
【００１７】
内箱４内の前方空間には貯蔵室８が形成され、所定の高さ位置に各棚板１２とトレー１４が設けられることで、商品の陳列棚が多段（本実施例では４段式）に設けられている。外箱３と内箱４の間の下方に位置する通風路５には、蒸発器７が設置され、その上流側に送風機９が設けられている。
【００１８】
外箱３及び内箱４の上端部には、天板の一部である固定天板１７が設けられている。この固定天板１７の上部には天板の一部である可動天板１６が設けられており、可動天板１６の前端部１６ａが下方に向けて前方に傾斜されている。前端部１６ａの背面には鈎状の係止片２３がネジ（図示略）で取り付けられている。
【００１９】
内箱４の前方の上端部には、通風路５内に連通する吸込口１１が設けられ、通風路５の後方の上端部には、通風路５内に連通する吹出口６が形成されている。つまり、吸込口１１と吹出口６によって貯蔵室８を取り囲む空気流路が形成されている。
【００２０】
吸込口１１の前側と外箱３の前端との間には、上部が開口するナイトカバーの収納部２４が形成されており、収納部２４の左右端部にかけて自動巻取り機能を備えた回転軸２１が延設されている。この回転軸２１にフィルム状のナイトカバー２０が巻き取られた状態で収納されている。ナイトカバー２０の上端には、左右方向に向けて延設された張架材２０ｂが取り付けられ、張架材２０ｂの上端に係止具２０ａが設けられている。
【００２１】
次に、ショーケース１内を循環する空気の流路について説明する。まず、送風機９の吸引回転によって吸込口１１から空気が取り込まれて通風路５内に送り込まれ、蒸発器７に向けて空気が流れ込む。そして、蒸発器７内に連通されたコイル７ａ内に循環される液冷媒によって空気が冷却され冷気となり、通風路５内に沿って吹出口６から貯蔵室８内に冷気が送り込まれる。
【００２２】
この冷気は棚板１２やトレー１４に載置された商品（図示略）を冷却するとともに、冷気の一部が再度吸込口１１から吸い込まれることで、吹出口６から吸込口１１にかけて、エアーカーテン１０が形成され外部からの熱を遮断している。このようにして、貯蔵室８と通風路５とに冷気の循環経路が形成されている。貯蔵室８内の温度は、貯蔵室８内に設置された図示しない熱センサで検出され、常に貯蔵室８内の室温が適温となるように温度管理されている。
【００２３】
なお、可動天板１６の前端部１６ａが下方に向けて前方に傾斜されることによって、吹出口６から吹き出される冷気をより集中的に吸込口１１に向けて流下させ、貯蔵室８の開口位置にエアーカーテン１０が形成されるようなっており、外部の熱が貯蔵室８の開口に形成されたエアーカーテン１０で遮断されるようになっている。
【００２４】
固定天板１７と可動天板１６について具体的に説明する。図３に示されるように固定天板１７の両端近傍の上端には、条溝１７ｂが前方から後方にかけて形成されている。この条溝１７ｂに金属板の折曲形成により前後に向けて延設された係合凹条１９が嵌合され、ネジ２６で固定天板１７に位置固定されている。
【００２５】
可動天板１６の両端近傍の下端には、金属板の折曲形成により前後に向けて延設された係合凸条１８がネジ２６で位置固定されている。この係合凹条１９と係合凸条１８の係合により、固定天板１７に可動天板１６が取り付けられており、可動天板１６を前方に摺動させながら引き出し可能になっている。なお、可動天板１６の前方への移動規制範囲は固定天板１７に形成された条溝１７ｂの前後の長さによって適宜設定されている。
【００２６】
以上、貯蔵室８から商品２７の出し入れを行っても、エアーカーテン１０によって貯蔵室８内の温度を一定に保ち、商品２７の保冷を行うことが可能な営業時間帯におけるショーケース１の使用形態について説明したが、営業終了後においては、冷気の循環に伴う消費電力のコストを極力抑えたいため、以下に営業終了時間帯におけるショーケース１の使用形態について説明する。
【００２７】
図４に示されるように、営業終了時に可動天板１６を前方（矢印方向）に引き出すことにより、営業終了時間帯では貯蔵室８の開口の上部側における外部からの熱を遮断することができ、貯蔵室８内の冷却効果を高めることができ、冷気の循環に伴う消費電力のコストを抑えることができる。
【００２８】
さらに、吸込口１１の前側に収納された係止具２０ａを上方に引き上げてナイトカバー２０を収納部２４から上方に引き出し、可動天板１６の係止片２３に係止具２０ａを引っ掛けて係止させることで、貯蔵室８の開口の前面が覆われる。
【００２９】
なお、本実施例のショーケース１のように外部から商品の取り出しが行い易いように、最下段の棚板１２から最上段の棚板１２に向けて後方に傾斜するように棚板１２が多段に設けられている場合であっても（図２参照）、可動天板１６が前方に引き出されているために、貯蔵室８の開口の前面に覆われたナイトカバー２０と各棚板１２に収納された商品（図示略）との接触が防止されている。
【００３０】
そして、図５に示されるように、ナイトカバー２０上端に取り付けらた張架材２０ｂによってナイトカバー２０全体の弛みを防止され、両側面板１５との間に殆ど隙間を生じさせずに貯蔵室８の開口の前面を覆うことができるので、貯蔵室８外部への冷気の漏出が防止され、商品２７の冷却効果を一層高めることができる。
【００３１】
以上の説明により実施例１では、営業終了時間帯においては、営業時間帯と同様に貯蔵室内８の温度を一定に保ちつつも、冷気の循環に伴う消費電力のコストをより低く抑えることができる。
【００３２】
なお、営業開始時には、係止片２３から係止具２０ａを取り外すだけで、回転軸２１の自動巻取り機能によってナイトカバー２０が自動で巻き取られることで収納部２４に収納され、前面に引き出された可動天板１６を後方に移動させるだけで元の位置に収納できるので、営業時間帯では貯蔵室８内の冷却を妨げることなく、商品２７の取り出し及び収納時にも何ら支障をきたすことはない。
【実施例２】
【００３３】
次に、本発明の実施例２を図６に基づいて説明する。図６は、ナイトカバーの張架構造を示す要部拡大断面図である。なお、以下の実施例２において前述の実施例１と同様の構造部分に関しては、同一の符号を付すことにより詳細な説明は省略することにする。
【００３４】
図６に示されるように、ショーケース１’の上部に設けられた前方に移動可能な可動天板１６の前端部１６ａには、収納部に相当する収納箱２５が設けられ、収納箱２５の左右端部にかけてナイトカバー２０’の自動巻取り機能を備えた回転軸２１’が延設されており、特に図示しないが営業時間帯には回転軸２１’にナイトカバー２０’が巻き取られ、収納箱２５内に収納された状態になっている。この収納箱２５は、下部に開口が形成されナイトカバー２０’を下方に引き出し可能な構成になっている。
【００３５】
吸込口１１の前側には鈎状の係止片２３’がネジ（図示略）で取り付けられている。ナイトカバー２０’下端には、左右方向に向けて延設された張架材２０ｂ’が取り付けられ、張架材２０ｂ’の下端に係止具２０ａ’が設けられている。
【００３６】
そこで、営業終了時間帯におけるショーケース１’の使用形態について説明すると、まず営業終了時に可動天板１６を前方に引き出し、収納箱２５側から係止具２０ａ’を下方に引き下げて、ナイトカバー２０’を下方に引き出す。そして、吸込口１１の前側に設けられた係止片２３’に係止具２０ａ’を引っ掛けて係止させることで、貯蔵室８内の商品（図示略）とナイトカバー２０’との接触が未然に防止された状態で貯蔵室８の開口の前面が覆われる。
【００３７】
以上の説明により実施例２では、収納部である収納箱２５から引き出されたナイトカバー２０’によって、貯蔵室８の外部への冷気の漏出が防止されるので、実施例１のショーケース１と同様に、商品の冷却効果が高められ冷気の循環に伴う消費電力のコストを抑えることができる。
【００３８】
以上、本発明の実施例１、２を図面により説明してきたが、具体的な構成はこれら実施例に限られるものではなく、本発明の要旨を逸脱しない範囲における変更や追加があっても本発明に含まれ、例えば上記実施例１、２では、固定天板１７の上部に可動天板１６を前方に移動可能に取り付けられているが、本発明はこれに限定されるものではなく、営業終了時に可動天板１６を前方に移動可能な構成であれば、固定天板１７の下部に可動天板１６を取り付けるようにしても良い。
【００３９】
また、上記実施例のナイトカバー２０を透過性のフィルムで構成することにより、ナイトカバー２０の外部から貯蔵室８内に収納される商品２７を視認して、商品２７の在庫状況を把握するようにしても良い。
【００４０】
更に、ナイトカバーは必ずしも収納部に収めて使用時に引き出す構成だけでなく、前方に移動させた可動天板の先端部に引っ掛けて下方に垂らすようにしたものであっても良い。
【図面の簡単な説明】
【００４１】
【図１】本発明の実施例１におけるオープンショーケースの全体像を示す斜視図である。
【図２】図１のＡ−Ａ線の断面図である。
【図３】図２のＢ−Ｂ線の断面図である。
【図４】ナイトカバーの張架構造を示す要部拡大断面図である。
【図５】オープンショーケースにナイトカバーを張架した状態を示す斜視図である。
【図６】本発明の実施例２におけるナイトカバーの張架構造を示す要部拡大断面図である。
【符号の説明】
【００４２】
１、１’              ショーケース（オープンショーケース）
２                    基台
３                    外箱
４                    内箱
５                    通風路
６                    吹出口
７                    蒸発器
７ａ                  コイル
８                    貯蔵室
９                    送風機
１０                  エアーカーテン（冷気層）
１１                  吸込口
１２                  棚板
１３                  ブラケット
１４                  トレー
１５                  側面板
１６                  可動天板（天板の一部）
１６ａ                前端部
１７                  固定天板（天板の一部）
１７ｂ                条溝
１８                  係合凸条
１９                  係合凹条
２０、２０’          ナイトカバー
２０ａ、２０ａ’      係止具
２０ｂ、２０ｂ’      張架材
２１、２１’          回転軸（自動巻取りバネ内蔵）
２３、２３’          係止片
２４                  収納部
２５                  収納箱
２６                  ネジ
２７                  商品
【図１】
2005282890.tif 000003
【図２】
2005282890.tif 000004
【図３】
2005282890.tif 000005
【図４】
2005282890.tif 000006
【図５】
2005282890.tif 000007
【図６】
2005282890.tif 000008